(57)【要約】【課題】特定の意匠が施されたペットボトルのキャップを利用して、様々なデザイン等の表現を実現すると共に、ペットボトルのキャップの有効利用を図り得る掲示具およびその構成部材を提供する。【解決手段】　内部にねじ部を有するペットボトルのキャップと、このねじ部に嵌合固着される係止部を外周に有する筒状部材とから掲示具が構成され、筒状部材の下端にはキャップの外径とほぼ同じか、わずかに大きい外径のフランジを有し、筒状部材の底面には、壁、ボード、家具等に着脱可能な取付部材を有する。筒状部材が掲示具の構成部材である。【選択図】　図７
2004099176.tif 000002
【特許請求の範囲】
【請求項１】
　内面にねじ部を有するペットボトルのキャップと、このねじ部に嵌合固着される係止部を外周に有する筒状部材とから構成され、キャップ上面には、特定の意匠が施されており、筒状部材の下端にはキャップの外径とほぼ同じか、わずかに大きい外径のフランジを有し、筒状部材の底面には、壁、ボード、家具等に着脱可能な取付部材を有する掲示具。
【請求項２】
　請求項１に記載のキャップ内面のねじ部に嵌合固着される係止部を外周に有し、また下端にはキャップの外径とどぼ同じか、わずかに大きい外径のフランジを有し、かつ底面には、壁、ボード、家具等に着脱可能な取付部材を有する請求項１に記載の掲示具を構成する筒状部材。
【請求項３】
　取付部材が磁石で出来ていることを特徴とする請求項１または２に記載の掲示具およびその構成部材。
【請求項４】
　取付部材の分離、取り外しが容易な操作穴を有する請求項１〜３のいずれかに記載の掲示具およびそれを構成する筒状部材。
【発明の詳細な説明】
【技術分野】
【０００１】
　本発明は、ペットボトル用キャップと、その装着物とから成り、所定の場所や物に取り付けることができる掲示具およびその構成部材に関する。
【背景技術】
【０００２】
　従来、ペットボトルのキャップは、ペットボトルを封じる蓋材としての役目しかなく、ペットボトルが不用となれば、そのキャップも不用となり、廃棄物となることが多い。
　最近では、ペットボトルは、廃棄されても、構成材質のペット素材がリサイクル可能なため、回収され、再利用、あるいは有効利用されるようになった。しかし、ペット素材とは異なる材質で構成されたボトルのキャップは、回収、再利用、有効利用されることが少ないのが現状である。よって、ペットボトルとそのキャップは、お互いに異なる材質を有するため、分別して廃棄しなければならない。
【０００３】
　分別するという行為は、各人の環境問題に対する意識に大きく左右される。分別によって、ゴミを減らし、リサイクル活動に貢献するという意識が重要である。
　しかし、分別されず、キャップをつけたまま廃棄されるペットボトルが多い。そのため、本来、リサイクルされるはずのペットボトルが、回収されない場合がある。また、キャップをつけたままのペットボトルが廃棄されると、回収されても、再利用、有効利用の作業工程に、キャップをペットボトルから取り除くという余計な作業が加わることとなる。また、分別によってボトルから分離されたキャップは、家庭などでは、廃棄されるまで放置されることが多い。
【０００４】
　キャップの有効利用を図る発明として、アクセサリーホルダーがある（例えば、特許文献１参照。）（この発明を従来技術１とする。）。また、マグネットホルダーもある（例えば、特許文献２参照。）（この発明を従来技術２とする。）。
【０００５】
　従来技術１のアクセサリーホルダーは「ペットボトルの蓋材が装着されるように該蓋材に螺合される雄ねじ部が外周に形成されており、かつ外表面の一部にアクセサリー装着部が設けられたホルダー本体を備えることを特徴とするアクセサリーホルダー。」と特許文献１に記載されている。
【０００６】
　しかし、市販されているペットボトル入り飲料は多品種であり、そのため、ペットボトルのキャップにも、メーカー、商品の違い等によって、ねじ部の形状や形成位置、キャップの深さ、ボトルに螺合する深さなどに様々な違いがあり、互換性のないキャップが多く存在するのが現状である。よって、この従来技術の発明のアクセサリーホルダーの雄ねじ部に螺合可能なキャップは限定されることになり、それが、キャップの有効利用を限定することとなる。
【０００７】
　また、この従来技術１では、アクセサリーホルダーの雄ねじ部を形成するには、高度な工業技術が必要であり、製造費用も高いものとなる。その結果、高価格のアクセサリーホルダーが製造されることとなり、購入を敬遠される可能性も起こりうる。これでは、キャップの有効利用を推奨することも困難となる。
【０００８】
　従来技術２のマグネットホルダーは、全体的又は部分的に磁気を帯びているホルダー本体をキャップの内部に強制的に押し込んだときにキャップの内周面を径外方向に押圧する固定手段がホルダー本体に設けられていることを特徴とする。そして、装填後の状態として、ホルダー本体がキャップ内に完全に収納されて外から見えないようになる。また、ホルダー本体を最奥まで押し込んだ状態にした場合、磁石の一端面がキャップの開口側端部から僅かに突出する関係が得られるようになっている。
【０００９】
　しかし、この従来技術２は、装填後の状態としてホルダー本体がキャップ内に完全に収納されて外から見えなくなり、磁石の一端面がキャップの開口側端部から僅かに突出する構造で、ホルダー本体をキャップに装着することのみに重点を置いており、装填後は、ホルダー本体がキャップ内に完全に収納されているため、指でホルダー本体を掴む、あるいは摘むことが難しく、キャップとホルダー本体を分離させることが難しい。キャップとホルダー本体の取り外し易さも考慮するべきである。なぜなら、環境問題に配慮し、不用となったら簡単に分別廃棄出来るものが望まれるからである。また、キャップのデザイン等に飽きたら他のキャップと容易に交換できる着脱が容易なホルダー本体が望ましい。
【００１０】
　また、キャップには深さが異なるものが存在し、この従来技術２では、浅いキャップにホルダー本体を装着した場合、キャップからのはみ出し部分が大きく審美性に欠ける場合がある。逆に深いキャップだと、奥にホルダー本体が入り込みすぎて磁石もキャップ内部に入り込んでしまい吸着力が弱まって家具やボード等に吸着しない場合もある。よって、従来技術２のホルダー本体に合うキャップは限定されることになり、従来技術２のホルダー本体の汎用性が高いとは言い難い。そして、それがキャップの有効利用を限定することとなる。
【００１１】
　キャップの有効利用を図るため、個人やグループが、手作業で、キャップに磁石を接着剤や粘着テープで装着した掲示具が考えられるが、それは、商品としての完成度が低く、手芸、工作、趣味の域から脱していない。ごく少数が、個人間やバザーなどのイベントで売られる程度である。しかも、キャップを個人やグループが用意し、磁石を接着剤や粘着テープで装着した完成品のため、自分の気に入ったキャップに取り替えることも出来ない。自分で作るのも面倒でもある。また、この手作業で、キャップに磁石を接着剤や粘着テープで装着した掲示具は、品質も統一されず、手作りのため量産も難しい。これでは、効果的なリサイクル活動は望めない。
【００１２】
【特許文献１】特開平１１−２９０１９６号公報
【特許文献２】特開２００２−２３１５２５号公報
【発明の開示】
【発明が解決しようとする課題】
【００１３】
　本発明の目的は、特定の意匠が施されたペットボトルのキャップを利用して、様々なデザイン等の表現を実現し得る掲示具およびその構成部材を提供することにある。
【００１４】
　それは、上記ペットボトルのキャップを容易に着脱でき、様々なデザイン等の表現の変更が可能な掲示具およびその構成部材を提供することでもある。
【００１５】
　また、上記ペットボトルのキャップを容易に着脱でき、不用となったら分別廃棄が容易な掲示具およびその構成部材を提供することでもある。
【００１６】
　さらに、メーカー、商品の違い等によって、ねじ部の形状や形成位置などに様々な違いがあるキャップでも、大抵のものが装着可能な汎用性の高い掲示具の構成部材を提供することでもある。
【００１７】
　本発明の他の目的は、上記の掲示具を作り、収集することにより、廃棄されるペットボトルのキャップの再利用、有効利用を図ることである。
【００１８】
　それによって、消費者が、ペットボトルと、ペット素材とは異なる材質で構成されたキャップを分別して、リサイクル活動に協力するように仕向けることも図る。
【００１９】
　そして、多くの人が、ペットボトルのキャップの再利用、有効利用ができるように、構造が簡単で量産可能な掲示具の構成部材を提供することが、本発明の目的でもある。
【課題を解決するための手段】
【００２０】
　上記目的を達成するために、請求項１に記載の発明における掲示具は、上面に特定の意匠が施されているペットボトルのキャップと、そのキャップ内面のねじ部に嵌合固着される係止部を外周に有する筒状部材とから構成され、筒状部材の下端にはキャップの外径とほぼ同じか、わずかに大きい外径のフランジを有し、筒状部材の底面には、壁、ボード、家具等に着脱可能な取付部材を有することを特徴とする。
【００２１】
　つまり、特定の意匠が施されたペットボトルのキャップに、上記取付部材を底面にもつ筒状部材を装着することにより、様々なデザイン等の表現を実現し得る掲示具を提供することが可能となる。
【００２２】
　請求項２における発明は、そのためのペットボトルのキャップに装着される筒状部材である。
【００２３】
　ペットボトルのキャップを利用する従来技術１のアクセサリーホルダーは「ペットボトルの蓋材が装着されるように該蓋材に螺合される雄ねじ部が外周面に形成されており、」と特許文献１に記載されているが、ペットボトルのキャップには、メーカー、商品の違い等によって、ねじ部の形状や形成位置、深さ、ボトルに螺合する深さなどに様々な違いがあり、互換性のないキャップが多く存在する。そのため、従来技術１のアクセサリホルダーに装着できるキャップは限定されてしまう。
【００２４】
　よって、メーカー、商品の違い等によって、ねじ部の形状や形成位置などに様々な違いがあるキャップでも、大抵のものが装着可能な掲示具の構成部材が求められる。幸いなことに、市販のペットボトルには、内径がほぼ等しいキャップが多い。
【００２５】
　そのために、キャップの内径がほぼ等しければ、装着が実現可能となるように、本発明の掲示具の構成部材である筒状部材とキャップとの装着方法は螺合装着ではなく、キャップ内面のねじ部の形状や形成位置などに左右されにくい圧入装着を採用する。
【００２６】
　また、螺合装着の場合では、筒状部材の外周面にねじ部を形成することに高度の技術を必要とすることからも、キャップ内面のねじ部に嵌合固着される係止部の構造が簡単な圧入装着用の筒状部材がふさわしい。
【００２７】
　よって、本発明の掲示具の構成部材である筒状部材は、圧入装着され、そのためのキャップ内面のねじ部に嵌合固着される係止部として、ツメ、あるいは突起を外周に有するものとする。
【００２８】
　特許文献２に記載の従来技術２のマグネットホルダーは、装填後の状態としてホルダー本体がキャップ内に完全に収納されて外から見えなくなり、磁石の一端面がキャップの開口側端部から僅かに突出する構造で、ホルダー本体をキャップに装着することのみに重点を置いており、装填後は、ホルダー本体がキャップ内に完全に収納されているため、指でホルダー本体を掴むことが難しく、キャップとホルダー本体を分離させることが難しい。
【００２９】
　また、従来技術２では、キャップの深さの違いによっては、キャップが浅いためホルダー本体がキャップからはみ出し審美性に欠けるものや、深いキャップでは、内部に深く入り込みすぎるホルダー本体の存在も考えられ、ホルダー本体の汎用性が高いとは言い難い。
【００３０】
　本発明の掲示具の構成部材である筒状部材は、下端にキャップの外径とほぼ同じか、わずかに大きい外径のフランジを有する。このフランジが筒状部材をキャップに圧入装着する時のキャップに入り込みすぎないようにするストッパーとなり筒状部材をキャップの下端部の定位置で固定する。
【００３１】
　上記フランジは、キャップの外径とほぼ同じか、わずかに大きい外径を有するため、このフランジを指で掴む、あるいは摘むことが可能で、それによって筒状部材とキャップの着脱が容易に実行できる。
【００３２】
　また、上記の筒状部材のフランジとキャップは密着して余分な部分が見えず、高い審美性が期待できる。筒状部材の高さをキャップの平均的な深さから決めれば浅いキャップ、深いキャップでも適合するものが多く汎用性も高い。
【００３３】
　以上のことから、本発明の掲示具の構成部材である筒状部材は、圧入装着され、そのためのキャップ内面のねじ部に嵌合固着される係止部として、ツメ、あるいは突起を外周に有し、筒状部材の下端にはキャップの外径とほぼ同じか、わずかに大きい外径のフランジを有するものとする。
【００３４】
　そして、本発明の掲示具の構成部材である筒状部材は、ペットボトルのキャップを容易に着脱でき、キャップの交換により様々なデザイン等の表現の変更が可能な掲示具を構成することも可能とする。不用となったらキャップから分離させて分別廃棄もできる。
【００３５】
　本発明は、掲示具およびその構成部材を提供することが目的であるから、請求項１および請求項２に記載の発明で、筒状部材の底面には、壁、ボード、家具等に着脱可能な取付部材を有する。
【００３６】
　そして、取付部材には、壁、ボード、家具等に着脱自在なものが望ましい。よって取付部材として磁石を採用したものが請求項３における発明である。
【００３７】
　さらに取付部材を分離、取り外すときのための指や道具などを差し込む操作穴を有するものが請求項４における発明である。
【発明の効果】
【００３８】
　本発明は、以下に記載されるような効果を奏する。
【００３９】
　本発明の掲示具を構成する筒状部材は、ペットボトルのキャップ内面のねじ部に嵌合固着される係止部として、ツメあるいは突起を外周に有し、キャップに圧入装着される。ペットボトルのキャップには様々な意匠等が施されているから、様々なデザイン等の表現の実現が可能な掲示具を提供出来る。
【００４０】
　本発明の掲示具を構成する筒状部材は、内径がほぼ等しいキャップなら、圧入装着により、外周のツメあるいは突起がキャップ内面のねじ部に嵌合固着され、掲示具を構成出来る。そして、市販のペットボトルが有するキャップは内径がほぼ等しいものが多いため、装着可能なキャップも多い。このように、メーカー、商品の違い等によって、ねじ部の形状や形成位置などに様々な違いがあるキャップでも、内径がほぼ等しければ、圧入装着により、また、一定の位置で筒状部材を固定するフランジの働きもあり、大抵のものが装着可能な掲示具の構成部材を提供することが可能となる。
【００４１】
　また、フランジを掴むことによりキャップの脱着が容易なので、キャップを交換してデザイン等の変更も可能となる。不用となれば簡単にキャップと筒状部材を分別して廃棄も出来る。
【００４２】
　筒状部材またはキャップを回転させながらキャップに筒状部材を圧入すると、よりスムーズにキャップに筒状部材を装着出来る場合がある。
【００４３】
　図２１のようにフランジに溝などの滑り止めを設ければ、よりキャップに筒状部材を装着し易くなる。
【００４４】
　本発明の筒状部材は、その底面に、壁、ボード、家具等に着脱可能な取付部材を有するため、掲示具の構成部材となる。
【００４５】
　本発明では、筒状部材の底面に磁石を有することにより、壁、ボード、家具等に着脱自在な取付部材を有する掲示具を提供することが可能となる。
【００４６】
　通常、ペットボトルのキャップは廃棄されるものであるが、本発明によれば、請求項１に記載の掲示具をつくることで、廃棄されるキャップの再利用、有効利用が可能となる。
【００４７】
　それによって、消費者が、ペットボトルと、ペット素材とは異なる材質で構成されたキャップを分別して、リサイクル活動に協力する可能性も生じる。
【００４８】
　本発明の筒状部材を採用することで、構造が簡単で量産可能な掲示具の構成部材を提供することが可能となる。
【００４９】
　本発明によって、ペットボトルのキャップの収集家が増え、飲料メーカーも様々なデザイン等を施したキャップを提供する機会が増える。それは、ペットボトル入り飲料の販売促進にも繋がる。
【００５０】
　また、個人がペットボトルのキャップに独自の意匠を施すことにより、自分好みのオリジナルデザインの掲示具を作ることができる。
【００５１】
　本発明におけるペットボトルのキャップ内面のねじ部に嵌合固着される係止部としてツメあるいは突起を外周に有するという筒状部材の構造は、圧入することにより、ペットボトルのキャップを容易に装着できる。　また、フランジを掴むことによりキャップの脱着が容易なので、キャップを交換してデザイン等の変更も可能となる。不用となれば簡単にキャップと筒状部材を分別して廃棄も出来る。そのため、請求項１に記載の掲示具以外でも、この筒状部材の構造と圧入装着方法を用いて、ペットボトルのキャップを利用した文房具、事務用品、玩具、アクセサリー、装飾品などの構成に応用できる。
【００５２】
　本発明の筒状部材はサイズが適合すれば、ペットボトル以外のキャップ、例えばアルミキャップなどにも装着が可能となり、掲示具や文房具、事務用品、玩具、アクセサリー、装飾品などを構成出来る。そのため、請求項１に記載の掲示具以外でも、この筒状部材の構造と圧入装着方法を用いて、ペットボトルのキャップを利用した文房具、事務用品、玩具、アクセサリー、装飾品などの構成に応用できる。
【発明を実施するための最良の形態】
【００５３】
　本発明の実施の形態を実施例にもとづき図面を参照して説明する。
【実施例１】
【００５４】
　図１は上面に特定の意匠が施されているペットボトルのキャップ３の斜視図、図２はキャップの断面図で内部にねじ部３１を有することを示す。図３は筒状部材２の斜視図、図４は筒状部材２の断面図、図５は筒状部材２の平面図である。図６、７が示すようにキャップ３に筒状部材２を圧入装着することにより、本発明の掲示具１は完成する。
【００５５】
　上面に特定の意匠が施されているペットボトルのキャップ３とは、色、文字、マーク、模様、図形、図柄、絵、写真、デザインなどの表現が施されたキャップのことであり、その内面にねじ部を有する。市販の大半のペットボトルのキャップがこれに該当する。また、個人が考案した独自の意匠を描画、着色、彫刻、印刷、貼付などしたペットボトルのキャップも特定の意匠が施されているペットボトルのキャップ３に含まれる。
【００５６】
　キャップ３の内面のねじ部３１に嵌合固着される係止部である突起２１を筒状部材２はその外周に有し、また、圧入装着時に筒状部材２がキャップに入り込みすぎないように一定の位置で固定するためのフランジ２２を有する。そして、このフランジ２２を指で掴む、あるいは摘んで筒状部材2とキャップ3の着脱が容易に実行出来るように、フランジ２２は筒状部材2の下端に位置し、キャップ3の外径とほぼ同じか、わずかに大きい外径を有する。
【００５７】
　本発明における筒状部材２の外周に有する突起２１の形状、位置、数、サイズ等は、図８、９、１０、１１、１２のようにいろいろ考えられるが、特に限定しない。キャップ内面のねじ部の形状や形成位置などに左右されず、キャップの内径がほぼ等しければ、大抵のキャップの内面ねじ部に嵌合固着できる係止部である突起２１を有する筒状部材２が望ましい。
【００５８】
　筒状部材２の底面には、壁、ボード、家具等に着脱可能な取付部材２３を有する。本発明では、取付部材２３は磁石で出来ている。図１３は筒状部材の底面図である。
【００５９】
　また、筒状部材２は、取付部材を装着しやすいように有底中空が望ましいが、取付部材を有することが可能なら、特にこれに限定しない。
【００６０】
　筒状部材のフランジ２２に関しても、形状、サイズ等は、特に限定しない。
【００６１】
　取付部材２３に関しても、取付部材の配置位置、形状、サイズは、特に限定はしない。
【００６２】
　使用に際しては、筒状部材２をペットボトルのキャップ３に圧入装着し、突起２１がキャップの内面のねじ部に嵌合固着される。それによってキャップ３の表面のデザイン等を活かした掲示具とすることが出来る。
【００６３】
　また、キャップ４のデザインに飽きたら他のペットボトルのキャップと交換することにより、掲示具１のデザインを容易に変更できる。
【００６４】
　本発明は圧入装着により完成する掲示具のため、螺合装着の場合とは異なり、装着後、キャップ３を回転させて好みの位置に合わせても、弛んだり、きつくなることもない。
【００６５】
　図１４は、スリット９４をいれた筒状部材９の斜視図で、図１５は縦断面図である。筒状部材２と同様に突起９１と、フランジ２２および取付部材２３を有する。筒状部材２と同様に、筒状部材９をキャップ３に圧入装着するが、スリット９４により、キャップ３の装着や交換が、より容易になる。スリット９４の数、形状、サイズ等は、特に限定しない。また、筒状部材２と同様で外周に有する突起９１の形状、位置、数、サイズ等も、特に限定しない。フランジ２２と取付部材２３に関しても、形状、位置、サイズ等は、特に限定しない。そして、筒状部材２と同様に、取付け部材を装着しやすいように図１５で示すような有底中空が望ましいが、取付部材を有することが可能なら、特にこれに限定しない。
【００６６】
　図１８、１９が示すように筒状部材１２に操作穴１２４を設ければ、そこから指や道具などを差し込んで取付部材２３を押し出して取り外し、筒状部材１２と取付部材２３を分別して廃棄することも可能になる。操作穴を開けた分だけ材料の節約にもなる。
【００６７】
　本発明における筒状部材を構成する材質については特に限定されず、合成樹脂、金属などの適宜の材料を用いることが出来る。成形が容易かつ軽量な合成樹脂が望ましい。例えば、塩化ビニール、ABS樹脂、ポロプロピレン、ポリエチレンなどのプラスチック類が考えられる。
【実施例２】
【００６８】
　取付部材２３を磁石から粘着シート、吸着盤等に変更することにより、磁石を使わない掲示具、玩具、アクセサリー、装飾品として利用が可能となる。例えば、ガラス面、タイル面、車、バイク、鞄、磁石が着かない壁やボードや机や家具等にも取付が可能となる。図１６、１７参照。この場合、筒状部材はスリットを有しても良い。また、図２０のように筒状部材にアクセサリー部品装着部２４を設ければ、金具やひもやチェーンなどのアクセサリー部品２５をつけて、キーホルダーなどのアクセサリー、装飾品として利用が可能となる。
【図面の簡単な説明】
【００６９】
【図１】上面に特定の意匠が施されているペットボトルのキャップの斜視図。（実施例１、２）
【図２】内部にねじ部を有するペットボトルのキャップの断面図。（実施例１、２）
【図３】筒状部材の斜視図。（実施例１）
【図４】筒状部材の断面図。（実施例１）
【図５】筒状部材の平面図。（実施例１）
【図６】圧入により、筒状部材がペットボトルのキャップに装着され完成した掲示具の斜視図。（実施例１）
【図７】圧入により、筒状部材がペットボトルのキャップに装着され完成した掲示具の断面図。（実施例１）
【図８】キャップの着脱が容易な筒状部材の縦断面図。（実施例１）
【図９】キャップの着脱が容易な筒状部材の縦断面図。（実施例１）
【図１０】キャップの装着が容易で、外れにくい筒状部材の縦断面図。（実施例１）
【図１１】突起の数が少ない筒状部材の平面図。（実施例１）
【図１２】突起の形が異なる筒状部材の平面図。（実施例１）
【図１３】筒状部材の底面図。（実施例１）
【図１４】スリットを有する筒状部材の斜視図。（実施例１）
【図１５】スリットを有する筒状部材の縦断面図。（実施例１）
【図１６】取付け部材が粘着シートでできている筒状部材の断面図。（実施例２）
【図１７】取付け部材が吸着盤でできている筒状部材の断面図。（実施例２）
【図１８】取付部材を外すための操作穴を有する筒状部材の断面図。（実施例１）
【図１９】取付部材を外した、操作穴を有する筒状部材の分解断面図。（実施例１）
【図２０】筒状部材にアクセサリー部品装着部を有して、キャップを装着して完成した、キーホルダーなどのアクセサリー、装飾品の斜視図。（実施例２）
【図２１】フランジに滑り止めを有する筒状部材の斜視図。（実施例１）
【符号の説明】
【００７０】
　１　掲示具
　２、４、５、６、７、８、９、１０、１１、１２、１３、１４　筒状部材
　３　ペットボトルのキャップ
　３１　ペットボトルのキャップの内面のねじ部
　２１、４１、５１、６１、７１、８１、９１、１０１、１１１　ツメあるいは突起
　２２　フランジ
　２３　取付部材（磁石）
　９４　スリット
　１０３　取付部材（粘着シート）
　１１３　取付部材（吸着盤）
　１２５　操作穴
　１３６　アクセサリー部品装着部
　１３７　アクセサリー部品
　１４８　滑り止め
【図１】
2004099176.tif 000003
【図２】
2004099176.tif 000004
【図３】
2004099176.tif 000005
【図４】
2004099176.tif 000006
【図５】
2004099176.tif 000007
【図６】
2004099176.tif 000008
【図７】
2004099176.tif 000009
【図８】
2004099176.tif 000010
【図９】
2004099176.tif 000011
【図１０】
2004099176.tif 000012
【図１１】
2004099176.tif 000013
【図１２】
2004099176.tif 000014
【図１３】
2004099176.tif 000015
【図１４】
2004099176.tif 000016
【図１５】
2004099176.tif 000017
【図１６】
2004099176.tif 000018
【図１７】
2004099176.tif 000019
【図１８】
2004099176.tif 000020
【図１９】
2004099176.tif 000021
【図２０】
2004099176.tif 000022
【図２１】
2004099176.tif 000023